(57)【要約】【課題】長尺状の天井廻り縁を全長に渡って壁パネルと天井パネルの間に安定して取り付けることができる天井廻り縁取付構造を提供することである。【解決手段】天井パネル１の垂下部２の孔３と、壁パネル４の起立部６の孔７とを一致させ、孔３，７に結合部材１０の挿通部１０ａをさせる。結合部材１０には、段部１０ｃを介して頭部１０ｂが設けてある。段部１０ｃは孔３，７には挿通されず、頭部１０ｂと垂下部２又は起立部６の間には隙間１１が形成される。天井廻り縁８の係合部９ａ，９ｂは、隙間１１に入り、結合部材１０の頭部１０ｂと係合する。また、係合部９ａ，９ｂは、垂下部２又は起立部６と当接する。【選択図】図１
2012172386.tif 000002
【特許請求の範囲】
【請求項１】
天井パネルと壁パネルを結合すると共に、天井パネルと壁パネルの間に長尺状の天井廻り縁を取り付ける天井廻り縁取付構造において、
天井パネルの端部に下方に延びる垂下部を設け、壁パネルの上部に上方に延びる起立部を設け、前記垂下部と起立部には孔が設けてあり、
前記垂下部と起立部の各孔を貫通して垂下部と起立部とを結合する結合部材を設け、
前記結合部材は、杆状の挿通部と、挿通部よりも大径の頭部とを有しており、
前記挿通部における頭部の近傍には、垂下部及び起立部の孔への挿通を阻止する挿通阻止部が設けてあり、
天井廻り縁は前記結合部材の頭部に係合する係合部を有し、
前記結合部材の頭部と垂下部又は起立部の間で、天井廻り縁の係合部を挟む
ことを特徴とする天井廻り縁取付構造。
【請求項２】
前記挿通阻止部は、挿通部と頭部の間に形成した段であることを特徴とする請求項１に記載の天井廻り縁取付構造。
【発明の詳細な説明】
【技術分野】
【０００１】
本発明は、建物の室内を仕切る天井部と壁面の交差部に取り付けられる内装用の天井廻り縁取付構造に関する。
【背景技術】
【０００２】
建造物は、木造構造物又はコンクリート構造物のいずれであっても、室内の内装を見栄え良く仕上げるために、一般に天井には天井パネルを配置し、側方には壁パネルが配置される。そして、天井パネルと壁パネルは、例えば特許文献１に開示されているような構造で接続される。
【先行技術文献】
【特許文献】
【０００３】
【特許文献１】実開平５−９６２９２号公報
【発明の概要】
【発明が解決しようとする課題】
【０００４】
特許文献１に開示されている天井廻り縁では、側壁用ボードの上端に廻り縁本体を係合させ、側壁用ボードよりも室内側に廻り縁本体を配置している。廻り縁本体には天井ボードを載置する部位が設けられている。そのため、廻り縁本体に天井ボードを載置すると、天井ボートと壁ボードとで形成されるコーナ部分には廻り縁本体が出っ張り、見栄えがよくない。そこで図３（ａ）に示すように構成すると、特許文献１に開示されている天井廻り縁のような出っ張りは生じず、天井パネルと壁パネルの間にはきれいなコーナ部が形成される。
【０００５】
図３（ａ）に示す天井廻り縁取付構造では、壁パネル５１と天井パネル５２とが次のような構造によって結合される。すなわち、壁パネル５１，天井パネル５２以外に、結合片５８，ねじ５４，廻り縁５５が使用される。
【０００６】
壁パネル５１の上端には、室内側から室外側へ延びる平坦部５１ａと、平坦部５１ａと連続して鉛直方向に起立する起立部５１ｂとが形成されている。起立部５１ｂには孔５６が設けられている。孔５６の左右には係止孔６４ａ，６４ｂが設けてある。一方、天井パネル５２の端部には、鉛直方向に垂下する垂下部５２ａが設けられている。垂下部５２ａにはねじ孔５７が設けられている。ねじ孔５７の左右には係止孔６３ａ，６３ｂが設けられている。図３（ａ）では孔５６，ねじ孔５７は一つしか描写していないが、実際には複数の孔５６，ねじ孔５７が、水平方向に所定の間隔ピッチで設けられている。係止孔６４ａ，６４ｂ，６３ａ，６３ｂも同様である。
【０００７】
結合片５８は、固定部５８ａと係合部５８ｂとを有している。係合部５８ｂの先端部分にはくびれ部６０が形成されている。固定部５８ａには図示しない一対の突起が設けてある。突起の間隔は、係止孔６４ａ，６４ｂの間隔や、係止孔６３ａ，６３ｂの間隔と一致している。さらに、係合片５８には貫通孔５９が設けられている。結合片５８は短尺状である。
【０００８】
廻り縁５５は長尺状であり、横断面は略コの字形を呈している。また、廻り縁５５のコの字の開口部分には係合部５５ａが形成されている。廻り縁５５は硬質の合成樹脂等で構成されている。また、廻り縁５５には複数の軟質のヒレ状の気密保持部材６１が設けられている。
【０００９】
そして、これらの部材は、以下のようにして組み立てられる。
【００１０】
まず最初に、壁パネル５１の起立部５１ｂに対して室内側から結合片５８を固定する。結合片５８の図示しない一対の突起を、起立部５１ｂの係止孔６４ａ，６４ｂに挿通させ、係合片５８を起立部５１ｂに固定（係止）する。すなわち、複数の結合片５８が、起立部５１ｂに固定される。その結果、壁パネル５１の孔５６と結合片５８の貫通孔５９とが一致する。そして、壁パネル５１の起立部５１ｂの室外側に天井パネル５２の垂下部５２ａを配置し、起立部５１ｂの孔５６に垂下部５２ａのねじ孔５７を位置合わせする。垂下部５２ａに設けた係止孔６３ａ，６３ｂを、起立部５１ｂから突出する図示しない一対の突起に係合させると、孔５６とねじ孔５７とを位置合わせすることができる。そして、これらの孔５６，ねじ孔５７，貫通孔５９をねじ５４で貫通する。ねじ５４は、天井パネル５２のねじ孔５７にねじ込んで固定する。これによって、壁パネル５１と天井パネル５２とが結合される。
【００１１】
次に、天井パネル５２の下面と、壁パネル５１の平坦部５１ａの間に、長尺状の廻り縁５５を配置する。すなわち、廻り縁５５の係合部５５ａを結合片５８のくびれ部６０に係合させる。その結果、廻り縁５５は壁パネル５１と天井パネル５２の間に配置される。
【００１２】
ここで廻り縁５５は、図３（ａ）に示すように結合片５８を介して壁パネル５１の起立部５１ｂに固定されている。ところで、結合片５８は短尺状であって、壁パネル５１と天井パネル５２の接合部分に沿って、所定の間隔ピッチで配置されているのであって、両パネルの接合部分に沿って長尺状に配置されているわけではない。そのため、結合片５８が配置されていない部位では、図３（ｃ）に示すように廻り縁５５と起立部５１ｂの間に空間６２が生じてしまい、廻り縁５５の固定が不安定になる。すなわち、廻り縁５５に外力が作用すると、廻り縁５５の位置又は姿勢が変化し易い。また、複数の結合片５８を事前に等間隔で壁パネル５１の起立部５１ｂに取り付ける必要があるため、作業性が悪くなる。
【００１３】
さらに、仮に結合片５８を長尺状に形成すると、結合片５８の固定が困難になる。すなわち、係止孔６４ａ，６４ｂ及び６３ａ，６３ｂの位置に合わせて長尺状の結合片に所定ピッチで突起を設け、これらの突起を各係止孔６４ａ，６４ｂ及び６３ａ，６３ｂに係止させなければならない。実際には、両パネルが撓んだり、係止孔６４ａ，６４ｂ及び６３ａ，６３ｂの設置位置がずれることもあるため、全て一致させるのは極めて困難である。そのため、結合片５８は短尺状にせざるを得ないという事情がある。
【００１４】
そこで本発明は、長尺状の天井廻り縁を全長に渡って壁パネルと天井パネルの間に安定して取り付けることができる天井廻り縁取付構造を提供することを目的としている。
【課題を解決するための手段】
【００１５】
上記課題を解決するための請求項１に記載の発明は、天井パネルと壁パネルを結合すると共に、天井パネルと壁パネルの間に長尺状の天井廻り縁を取り付ける天井廻り縁取付構造において、天井パネルの端部に下方に延びる垂下部を設け、壁パネルの上部に上方に延びる起立部を設け、前記垂下部と起立部には孔が設けてあり、前記垂下部と起立部の各孔を貫通して垂下部と起立部とを結合する結合部材を設け、前記結合部材は、杆状の挿通部と、挿通部よりも大径の頭部とを有しており、前記挿通部における頭部の近傍には、垂下部及び起立部の孔への挿通を阻止する挿通阻止部が設けてあり、天井廻り縁は前記結合部材の頭部に係合する係合部を有し、前記結合部材の頭部と垂下部又は起立部の間で、天井廻り縁の係合部を挟むことを特徴とする天井廻り縁取付構造である。
【００１６】
請求項１の発明の天井廻り縁取付構造では、結合部材の挿通部が、天井パネルの垂下部の孔と壁パネルの起立部の孔を貫通して垂下部と起立部とを結合する。その結果、天井パネルと壁パネルが位置合わせされて結合される。
【００１７】
その際、挿通部における頭部の近傍には挿通阻止部が設けてあるので、挿通阻止部が垂下部又は起立部の孔の縁に当接する。よって、頭部と垂下部又は起立部の間に隙間が形成される。
【００１８】
一方、天井廻り縁は係合部材の頭部に係合する係合部を有しており、係合部は、結合部材の頭部と垂下部又は起立部の間で挟まれる。すなわち、係合部は頭部と垂下部又は起立部の間の隙間に入る。その結果、長尺状の天井廻り縁が、全長に渡って天井パネルの垂下部又は壁パネルの起立部と接触し、天井廻り縁の固定が安定する。
【００１９】
請求項２の発明は前記挿通阻止部は、挿通部と頭部の間に形成した段であることを特徴とする請求項１に記載の天井廻り縁取付構造である。
【００２０】
請求項２の発明の天井廻り縁取付構造では、結合部材の挿通阻止部を挿通部と頭部の間に形成した段で構成したので、結合部材に挿通阻止部を容易に形成することができる。すなわち、結合部材に別部材を取り付ける必要がない。
【発明の効果】
【００２１】
本発明の天井廻り縁取付構造では、結合部材の挿通部が天井パネルの垂下部の孔と壁パネルの起立部の孔を貫通して天井パネルと壁パネルが結合され、さらに結合部材の頭部に天井廻り縁を係合させる。その際、挿通部には頭部の近傍に挿通阻止部が設けてあるので、頭部と垂下部又は起立部の間に隙間が形成される。よって、天井廻り縁の係合部はこの隙間に入り込むことができ、さらに係合部は結合部材の頭部と垂下部又は起立部の間に挟まれる。その結果、長尺状の天井廻り縁を全長に渡って天井パネルと壁パネルに安定して固定することができる。
【図面の簡単な説明】
【００２２】
【図１】本発明を実施した天井廻り縁取付構造の分解斜視図である。
【図２】図１の天井廻り縁取付構造の断面図であり、（ａ）は結合部材で結合した部位の断面図であり、（ｂ）は結合部材が配置されていない部位の断面図である。
【図３】（ａ）は従来の天井廻り縁取付構造の分解斜視図であり、（ｂ）は（ａ）の天井廻り縁取付構造の結合片がある部分の断面図であり、（ｃ）は（ａ）の天井廻り縁取付構造の結合片がない部分の断面図である。
【発明を実施するための形態】
【００２３】
以下では、本発明の天井廻り縁取付構造の実施形態について、図面を参照しながら詳細に説明する。図１に示すように天井廻り縁取付構造では、天井パネル１と壁パネル４と天井廻り縁８とが、結合部材１０によって結合される。
【００２４】
天井パネル１は、室内の天井を仕切るパネルである。天井パネル１の端部（端辺）には下方に屈曲する垂下部２が設けられている。垂下部２にはねじ孔３が設けられている。図１ではねじ孔３は一つしか描写していないが、実際にはねじ孔３は水平方向に所定の間隔ピッチで複数箇所に設けられている。
【００２５】
壁パネル４は、室内の側面を仕切るパネルである。壁パネル４の上部には室外側へ屈曲して形成された平坦部５が設けられている。また、平坦部５は起立部６と連続している。すなわち起立部６は、平坦部５に対して上方へ屈曲して形成された部位である。起立部６には孔７が設けられている。図１では孔７は一つしか描写していないが、実際には孔７は水平方向に所定の間隔ピッチで複数箇所に設けられている。
【００２６】
結合部材１０は、挿通部１０ａと頭部１０ｂと段部１０ｃとを備えている。挿通部１０ａは杆状であってねじが切ってある。また、頭部１０ｂは挿通部１０ａよりも大径であり、挿通部１０ａの一端側に配置されている。さらに挿通部１０ａと頭部１０ｂの間には段部１０ｃ（挿通阻止部）が設けられている。段部１０ｃは、挿通部１０ａよりは大径であり、頭部１０ｂよりは小径の円柱状の部位である。
【００２７】
天井廻り縁８は、横断面が略コの字形状を呈する長尺状の部材であり、硬質の合成樹脂で形成されている。すなわち天井廻り縁８は、上面８ａ，下面８ｂ，側面８ｃを有しており、上面８ａと下面８ｂとが側面８ｃで接続された構造を有している。上面８ａの端部と下面８ｂの端部には各々係合部９ａ，９ｂが設けられている。図１に示すように係合部９ａ，９ｂは、天井廻り縁８の開口部の開口幅を狭めるように垂下又は起立する部位である。すなわち係合部９ａ，９ｂは、開口部の上下から互いに接近するように延びている。図２（ａ）に示すように係合部９ａ，９ｂの先端には傾斜部１２ａ，１２ｂが設けてある。傾斜部１２ａ，１２ｂは、係合部９ａ，９ｂの外側に形成されている。係合部９ａ，９ｂは、天井廻り縁８の長手方向に沿って延びている。
【００２８】
また、天井廻り縁８の下面８ｂには、側面８ｃと面一の延長部１８が設けられている。延長部１８は、下面８ｂと直交し且つ下方に延びている。さらに、天井廻り縁８には複数の水密部材１３〜１７が設けられている。水密部材１３〜１７は、天井廻り縁８の長手方向に沿って延びる変形可能な素材で構成されている。
【００２９】
次に各部材の組み立て方を説明する。
【００３０】
最初に、天井パネル１の垂下部２と壁パネル４の起立部６とを位置合わせして結合する。すなわち、垂下部２に設けたねじ孔３と、起立部６に設けた孔７とを一致させる。そして孔７に結合部材１０の挿通部１０ａを挿通し、さらに挿通部１０ａをねじ孔３に螺合させる。その際挿通部１０ａは、壁パネル４の外側の図示しない壁に螺合して固定される。結合部材１０の段部１０ｃは、起立部６の孔７よりも大きく、段部１０ｃは孔７を通過することができない。そのため、段部１０ｃが起立部６に当接して結合部材１０は停止する。その結果、頭部１０ｃと起立部６の間には隙間が形成される。
【００３１】
次に、天井廻り縁８を結合部材１０の頭部１０ｂに係合させる。
【００３２】
天井廻り縁８の高さ（上面８ａから下面８ｂまでの距離）は、壁パネル４の平坦部５から天井パネル１の下面１ａまでの高さよりも低い。よって、天井廻り縁８は壁パネル４の平坦部５と天井パネル１の下面１ａの間に配置可能である。
【００３３】
天井廻り縁８の係合部９ａ，９ｂの先端の傾斜部１２ａ，１２ｂを、結合部材１０の頭部１０ｂに押し当てると、係合部９ａ，９ｂが結合部材１０の頭部１０ｂに押圧され、係合部９ａ，９ｂの間隔が拡がる。そして頭部１０ｂが傾斜部１２ａ，１２ｂを過ぎて天井廻り縁８の内部に入ると、係合部９ａ，９ｂに作用する押圧力がなくなり、図２（ａ）に示すように係合部９ａ，９ｂの間隔が元に戻る。
【００３４】
図２（ａ）に示す状態では、天井廻り縁８の延長部１８が壁パネル４に当接すると共に、天井廻り縁８の係合部９ａ，９ｂが壁パネル４の起立部６と結合部材１０の頭部１０ｂの間に入り込み、係合部９ａ，９ｂが頭部１０ｂ及び起立部６と当接している。よって、長尺状の天井廻り縁８の係合部９ａ，９ｂが、全長に渡って起立部６と当接し、起立部６に対する天井廻り縁８の固定が安定する。
【００３５】
すなわち、図２（ｂ）に示すように、長尺状の天井廻り縁８における結合部材１０が配置されていない部位の係合部９ａ，９ｂも壁パネル４の起立部６に当接している。よって、天井廻り縁８に外力が作用してもその外力は起立壁６に伝達され、天井廻り縁８（係合部９ａ，９ｂ）と起立壁６の相対位置は変わらない。
【００３６】
また、天井廻り縁８の上面８ａに設けた水密部材１３，１４が変形して、天井パネル１の下面１ａと天井廻り縁８の上面８ａの間を塞ぎ、天井廻り縁８の下面８ｂに設けた水密部材１６，１７が変形して、天井廻り縁８の下面８ｂと壁パネル４の平坦部５の間を塞ぎ、さらに延長部１８に設けた水密部材１５が壁パネル４に密着する。その結果、天井パネル１と壁パネル４の間の水密が保たれる。
【００３７】
結合部材１０の段部１０ｃ（挿通阻止部）の形状は、円柱形状に限らず、直方体形状等の様々な形状に構成することができる。すなわち、頭部１０ｂが孔７の縁に当接しないように、頭部１０ｂの手前で当接する部位を設ければよい。さらに結合部材１０に段部１０ｃを設ける代わりに、挿通部１０ａにおける頭部１０ｃの近傍にピン（挿通阻止部）を貫通させ、このピンを起立部６の孔７の縁に当接させてもよい。
【００３８】
結合部材１０の挿通部１０ａをねじ構造とする代わりに、釘のような構造を採用し、挿通部を壁パネル４の外側の図示しない壁に打ち込んで結合部材１０を固定してもよい。その場合には、垂下部２に設けたねじ孔３の代わりにねじのない孔を設ける。
【符号の説明】
【００３９】
１    天井パネル
２    垂下部
３    垂下部に設けた孔
４    壁パネル
５    平坦部
６    起立部
７    起立部に設けた孔
８    天井廻り縁
９ａ，９ｂ  係合部
１０  結合部材
１０ａ  挿通部
１０ｂ  頭部
１０ｃ  段部（挿通阻止部）
【図１】
2012172386.tif 000003
【図２】
2012172386.tif 000004
【図３】
2012172386.tif 000005